(57)【要約】【課題】複数の表示タイルで構成される電気光学装置の壁面での組み立てを容易にした電気光学装置及びその組み立て方法を提供する。【解決手段】複数の表示タイル(T)と、複数の領域を有する基礎構造体(20)と、を含み、上記基礎構造体が、上記複数の表示タイルのうち第１の表示タイルに画像データ信号を伝送する信号バス(24)と、上記信号バスと上記第１の表示タイルとを電気的に接続する第１接続部(23)と、を備え、上記第１の表示タイルが、画素素子と、上記画像データ信号に基づき上記画素素子を駆動する信号を生成する信号処理部と、上記第１接続部に電気的に接続される第２接続部(52)と、を備える。【選択図】図３
2010281911.tif 000002
【特許請求の範囲】
【請求項１】
複数の表示タイルと、
複数の領域を有する基礎構造体と、を含み、
前記基礎構造体が、前記複数の表示タイルのうち第１の表示タイルに画像データ信号を伝送する信号バスと、前記信号バスと前記第１の表示タイルとを電気的に接続する第１接続部と、を備え、
前記第１の表示タイルが、画素素子と、前記画像データ信号に基づき前記画素素子を駆動する信号を生成する信号処理部と、前記第１接続部に電気的に接続される第２接続部と、を備える、
ことを特徴とする電気光学装置。
【請求項２】
前記基礎構造体が、前記複数の領域のうち第１の領域に前記第１の表示タイルを固定する第１取付部と、前記第１の表示タイルが、前記第１取付部に取り付けられる第２取付部と、を含む、請求項１に記載の電気光学装置。
【請求項３】
小画面を表示する複数の表示タイルを組み合わせて大画面を形成する電気光学装置であって、
各表示タイルは、
画像データ信号を伝送する信号バスと、
隣接する表示タイルの前記信号バス相互を電気的に接続する接続部と、
前記小画面を形成する複数の画素素子と、
前記画像データ信号から各画素素子を駆動する信号を形成する信号処理部と、
を備えることを特徴とする電気光学装置。
【請求項４】
前記大画面は前記複数の表示タイルを二次元に配列し、隣接する表示タイル相互の接続部同士を接続することによって構成され、
前記複数の表示タイルからなる大画面の少なくとも一端部に設けられて、外部から供給される画像データ信号を該一端部に配置された複数の表示タイルの各信号バスに中継するインタフェース部を、更に備える請求項３に記載の電気光学装置。
【請求項５】
前記複数の表示タイルには、形状又は画素素子数の異なるものが含まれる、請求項１乃至４のいずれかに記載の電気光学装置。
【請求項６】
前記表示タイルの信号処理部が階層構造による信号処理をなすものであって、
前記画像データの入力インタフェースとなる最上位層と、
前記複数の画素素子と各画素素子にそれぞれ対応する複数の画素素子駆動回路とが配列される最下層と、
上位層から供給されるデータを加工演算して下位層に供給する中間層と、
を含む請求項１乃至５のいずれかに記載の電気光学装置。
【請求項７】
前記表示タイルが、画素素子毎のバラツキや経年変化に起因する目標色乃至目標輝度からの誤差を記憶する不揮発性メモリー装置を含み、該不揮発性メモリーに記憶された誤差を相殺するように前記最下位層の画素素子の入力値を都度演算する手段、
を更に備えた請求項６に記載の電気光学装置。
【発明の詳細な説明】
【技術分野】
【０００１】
本発明は電気光学装置に関し、例えば、駅や空港等のいわゆる動く歩道等に沿って敷設さたり、劇場や競技場に敷設されるような大画面表示に好適な電気光学装置に関する。
【背景技術】
【０００２】
大画面の直視型表示装置、例えば、通路に沿って通路の壁面に横長に配置されるような表示装置では、画面の画素数が非常に大きく、扱う画像のデータ数が膨大であり、表示装置には極めて高いデータ処理能力が要求される。例えば、映像信号の入力は、点順次または一行（1 RAW）分のシリアル・パラレル変換器を用いる線順次表示方式を前提にしたピクセル順次方式等で行われているが、これ等の方式では、表示画面の大型化すなわちフレーム・データ量の増大に伴って、入力信号のクロック周波数は大幅に増大する。
【０００３】
例えば、４ｋ×２ｋのフレームサイズでフレーム周波数を２４ＦＰＳ (Frame Per Second)とすると、ピクセル・データを入力するレートｆclk （PPS, Pixel Per Second）は、ｆclk＞２４×４×１０3×２×１０3＝１９２ (ＭＰＰＳ)となる。２４ビット・カラー表示の場合はＲＧＢ各色１バイトであるので、例えば、８ビット・シリアル、すなわち同時に８ビットずつ入力しても５７６ＭＢＰＳ（Bytes Per Second）という極めて高いレートで表示データを入力する必要がある。ビット・シリアルで入力するとすれば、４．６１ＧＰＢＳのビット・レートが必要となる。
【０００４】
そこで、出願人は、特開２００６−４７９０１号公報に記載の電気光学装置等を提案している。この技術では、表示装置及びその制御回路が少なくとも２層で構成される多層レイヤー構成の高精細表示可能な直視型表示タイルを複数枚設けることで表示画面を形成し、いわば面順次方式で画像を更新する。データ処理時間の余裕を視覚の残像効果（例えば、フレーム周期１／６０秒）まで下げることによって低速のＣＰＵを使用した処理を可能としている。また、多層レイヤー構成の高精細表示可能な直視型表示タイルを複数枚敷設することで超大画面表示を行うことが可能となる。
【先行技術文献】
【特許文献】
【０００５】
【特許文献１】特開平２００６−４７９０１号公報（段落０１１６、図１２等）
【発明の概要】
【発明が解決しようとする課題】
【０００６】
上述した多層レイヤー構成の直視型表示タイルを壁面等に敷設する場合には、表示タイルが正確に壁面に配置されて表示タイル全体として１つの画面が正しく表示されなければならない。
【０００７】
しかしながら、いわゆる動く歩道、劇場、映画館、競技場等の建築物等の壁面や天井等の表面に表示タイルを正確に配置し組み立てて大画面を構成することは容易でない。
【０００８】
そこで、本発明は、複数の表示タイルで構成される電気光学装置の壁面での組み立てを容易にした電気光学装置及びその組み立て方法を提供することを目的とする。
【課題を解決するための手段】
【０００９】
上記目的を達成するため、本発明の一態様は、複数の表示タイルと、複数の領域を有する基礎構造体と、を含み、上記基礎構造体が、上記複数の表示タイルのうち第１の表示タイルに画像データ信号を伝送する信号バスと、上記信号バスと上記第１の表示タイルとを電気的に接続する第１接続部と、を備え、上記第１の表示タイルが、画素素子と、上記画像データ信号に基づき上記画素素子を駆動する信号を生成する信号処理部と、上記第１接続部に電気的に接続される第２接続部と、を備える。
【００１０】
かかる構成とすることによって、壁面などに沿って大画面の電気光学装置を構成することが可能となる。
【００１１】
ここで、「電気光学装置」とは、電気信号を光信号に変える機能素子を用いて画像や情報等を表示可能としたものであり、液晶表示装置（ＬＣＤ）、有機ＥＬ表示装置（高分子、低分子）、電気泳動表示装置、発光ダイオード（ＬＥＤ）アレイ表示装置、プラズマディスプレイ等を含む概念である。また、「設置対象体」とは、不動産である建築上の構造体である壁面、床面、天井等の表示器を設置可能な広い面（曲面を含む）を含む。また、動く歩道、各種劇場（映画館を含む）、各種競技場、遊戯場、飲食店などのスクリーン、表示用ボード、広告ボードの設置面などを含む。また、大型車両、航空機、船舶等の動産の壁面（平面部）などであっても良い。多少の曲面（湾曲）があっても良い。
【００１２】
また、上記第１接続部が上記第１取付部を兼ね、上記第２接続部が上記第２取付部を兼ねることが望ましい。接続部が表示タイルの基礎構造体への取付機能を持つことによって装置の構成が簡略化される。
【００１３】
また、本発明の一態様は、小画面を表示する複数の表示タイルを組み合わせて大画面を形成する電気光学装置であって、各表示タイルは、画像データ信号を伝送する信号バスと、隣接する表示タイルの上記信号バス相互を電気的に接続する接続部と、上記小画面を形成する複数の画素素子と、上記画像データ信号から各画素素子を駆動する信号を形成する信号処理部と、を備える。
【００１４】
かかる構成とすることによって、壁面などに沿って大画面の電気光学装置を構成することが可能となる。
【００１５】
上記大画面は上記複数の表示タイルを二次元に配列し、隣接する表示タイル相互の接続部同士を接続することによって構成され、上記複数の表示タイルからなる大画面の少なくとも一端部に設けられて、外部から供給される画像データ信号を該一端部に配置された複数の表示タイルの各信号バスに中継するインタフェース部を、更に備えることが望ましい。それにより、外部からインタフェース部に画像信号を供給することによって各表示タイルに伝送することが可能となる。
【００１６】
上記複数の表示タイルには、形状又は画素素子数の異なるものが含まれることが望ましい。それにより、壁面の形状や強度等の種々の状態あるいは製造等の事情に応じた表示部の形成や、種々のアプリケーションを適用可能となる。
【００１７】
上記表示タイルの信号処理部が階層構造による信号処理をなすものであり、上記画像データの入力インタフェースとなる最上位層と、上記複数の画素素子と各画素素子にそれぞれ対応する複数の画素素子駆動回路とが配列される最下層と、上位層から供給されるデータを加工演算して下位層に供給する中間層と、を含むことが望ましい。それにより、元画像データから当該表示タイルの論理空間で定義（割り当て）された画素データが生成され、この画素データから当該表示タイルの各画素素子の画素信号群が形成される。それにより、各表示タイルの画像を同時に更新することが可能である。
【００１８】
上記表示タイルが、画素素子毎のバラツキや経年変化に起因する目標色乃至目標輝度からの誤差を記憶する不揮発性メモリー装置を含み、該不揮発性メモリーに記憶された誤差を相殺するように上記最下位層の画素素子の入力値を都度演算する手段、を更に備えることが望ましい。それにより、画素素子の特性のバラツキを修正することが可能となり、高画質高精細度の大画面表示装置を提供することか可能となる。
【図面の簡単な説明】
【００１９】
【図１】図１は、本発明の大画面の電気光学装置を説明する説明図である。
【図２】図２は、第１実施例の電気光学装置を説明する説明図である。
【図３】図３は、基礎構造体の構成例を説明する説明図である。
【図４】図４は、第１実施例の表示タイルの例を説明する説明図である。
【図５】図５は、表示タイル内に配置される複数レイヤ構造を有する信号処理部を説明する説明図である。
【図６】図６は、１つのレイヤを構成するエレメントプロセッサの例を説明する説明図である。
【図７】図７は、複数種類の表示タイルの例を説明する説明図である。
【図８】図８は、第２実施例の電気光学装置の例を説明する説明図である。
【図９】図９は、第２実施例の表示タイルの例を説明する説明図である。
【図１０】図１０は、表示タイルの組み立ての例（大画面の電気光学装置の現場製造方法）を説明するフローチャートである。
【図１１】図１１は、表示タイルの組み立て過程を説明する説明図である。
【図１２】図１２は、表示体の校正を説明する説明図である。
【図１３】図１３は、第３実施例の電気光学装置の例を説明する説明図である。
【図１４】図１４は、第３実施例の表示タイルの例を説明する説明図である。
【発明を実施するための形態】
【００２０】
以下、本発明の実施例について図面を参照して説明する。
図１は、本発明に係る電気光学装置の一例を示しており、駅や空港等の通路に動く歩道５０が設置されている。動く歩道５０は、ベルトコンベア方式やエスカレータ方式の公知のものが使用される。この動く歩道５０に沿って壁面４１に大画面の電気光学装置１が設けられている。後に詳述するように、電気光学装置１は所定領域の画像を表示する表示タイルＴを壁面にマトリクス状（二次元配列）に敷設することによって通路の延在方向に長手に構成されている。各表示タイルには、表示面（画素表示の素子アレイ）、データ処理装置、インタフェース等が設けられている。電気光学装置１の位置は、歩行者が動く歩道に乗った状態で見やすい位置に設置される。例えば、電気光学装置１の画面に表示される画像は動く歩道の移動量（あるいは移動速度）に同期して画面をシフトするようにすることができる。
【００２１】
電気光学装置１の画面の大きさは任意であり、図示のものに限定されない。例えば、構造物の通路の壁全体やその一部、天井等に設けられる。また、動く歩道のみならず、劇場、映画館、競技場等の映写面、壁面、天井、床面、塀等であっても良い。
【００２２】
（第１実施例）
図２乃至図７は、第１実施例の大画面電気光学装置１を示している。図２に示すように、大画面電気光学装置１は所定の領域を表示する表示タイルＴを複数個組み合わせ構成されている。この例では、基礎構造体２０上に表示タイルＴを行（横）方向及び列（縦）方向に二次元配置している。後述（図７）のように、表示タイルＴは異なる形状のものを組み合わせることができる。基礎構造体２０は壁面に、埋め込み、ボルト固定、貼り合わせ等によって固定される。基礎構造体２０は、例えば、工場で製作することができる。設置場所の建築構造体のデータをコンピュータシステムに入力すると、基礎構造体２０が設計される。なお、図２では、説明の便宜上、表示領域（Ｔの集合）よりも基礎構造体２０を若干大きく表現しているが両者が同じ面積（いわゆる額縁のない状態）であっても良い。
【００２３】
図３は、基礎構造体２０の構成例の一部を示している。同図に示されるように、基礎構造体２０は、表示タイルＴの形状に対応した複数の領域（図中、２点鎖線で示される区画）２１に画定され、各領域２１には、表示タイルを敷設するための１又は複数の第１取付部２２、１つの第１接続部（コネクタ）２３が設けられている。なお、第１接続部２３は１つに限定されるものではない。また、基礎構造体２０は、例えば、薄板鋼板や樹脂板等で厚みの少ない箱状又は板状に形成され、その内部又は裏面側には、図中に点線で示される画像データ信号や電源を供給する信号バス２４が配置されている。信号バス２４は基礎構造体２０の端部に設けられた外部接続部２５と各領域２１の接続部２３とを接続し、画像データを各表示タイルＴに伝送する。また、信号バス２４は表示タイルＴ相互を接続して表示タイルＴの内部プロセッサを介した誤差校正等を可能にする。
【００２４】
上述した第１取付部２２は、例えば、取付穴であり、１つの領域２１に４個設けられているが、これに限定されない。取付部２２は、例えば、ネジ穴や係合（ラッチ）構造、面ファスナ等であっても良い。好ましくは、第１取付部２２は表示パネル位置の微調整ができるように構成される。また、第１取付部２２は接着剤でもよく、表示タイルＴを基礎構造体に貼り合わせても良い。接続部２３は信号バス２４と表示タイルＴとの電気的接続を行うコネクタであるが、所要の機械的な強度を備える場合には、接続部２３で表示タイルＴを固定することができ、第１取付部２２及び第２取付部５１は不要となる。
【００２５】
図４は、表示タイルの外観の概略を示しており、同図（Ａ）は正面図、同図（Ｂ）は側面図、同図（Ｃ）は背面図である。
同図に示すように、表示タイルの正面は表示面１０となっており、画素素子が配列されている。表示タイルの背面には基礎構造体２０に取り付けるための１又は複数の第２取付部５１、少なくとも１つの第２接続部（コネクタ）５２が設けられている。第２取付部５１及び第２接続部５２は、基礎構造体２０の各領域２１に設けられた第１取付部２２及び第１接続部２３にそれぞれ対応した位置に必要数設けられる。
【００２６】
第２取付部５１は、例えば、ネジや弾性体ピン、係合部材等であるが、これに限定されない。例えば、面ファスナや接着剤等であっても良い。好ましくは、第２取付部５１は表示パネル位置Ｔの位置の微調整ができるように構成される。
【００２７】
図５に示すように、表示タイルＴは所定の領域を表示する表示装置としての機能を内部に備えている。表示タイルＴは、例えば、特開２００６−４７９０１号公報に記載の表示タイルを使用することができる。同公報には表示タイルを組み合わせた大画面の表示装置が記載されているので、ここでは簡略な説明に留める。
【００２８】
大画面画像のデータを蓄積する外部のメインプロセッサから信号バス２４を介して表示すべき各領域の画像データが該当する表示タイルＴに伝送される。表示タイルＴの信号処理部は、複数の階層で信号処理を行うように構成されている。例えば、信号処理系を構成するエレメントプロセッサが３つの階層に分かれて設けられ、互いに接続されている。
【００２９】
すなわち、最も下層から順に第１エレメントプロセッサ群ＥＰＧ１、第２エレメントプロセッサ群ＥＰＧ２、及び第３エレメントプロセッサ群ＥＰＧ３が設けられている。最も下層の第１エレメントプロセッサ群ＥＰＧ１は、所定領域を表示するｎ行×ｍ列のマトリックス状に配列された画素素子群に対応している。
【００３０】
データは最上位層から最下層に向かって流れる。すなわち、第３エレメントプロセッサ群ＥＰＧ３には、メインプロセッサから画像データが入力される。第２エレメントプロセッサ群ＥＰＧ２の各々の第２エレメントプロセッサＥＰ２には、上位の第３エレメントプロセッサ群ＥＰＧ３から画素データが供給される。第２エレメントプロセッサ群ＥＰＧ２を構成するそれぞれの第２エレメントプロセッサＥＰ２は、この第１エレメントプロセッサ群ＥＰＧ１の所定数の領域の各々に画素データを供給する。
【００３１】
第１エレメントプロセッサ群ＥＰＧ１の領域の境界では、お互いのエレメントプロセッサに対する誤差データは境界を越えて供給され、不連続とならずに誤差分散が計れるように、互いに通信チャネルが設けられている。
【００３２】
本実施形態において、第３エレメントプロセッサ群ＥＰＧ３は、符号化された元画像データＵの復号化を行い復号化された画像データＶを出力する。復号化の他に、ベクタデータからラスタデータを発生させるような処理も可能である。第２エレメントプロセッサ群ＥＰＧ２は、復号化された画像データＶの演算処理を行う。すなわち、論理画素空間内での所定の処理、回転、拡大／縮小、ページめくり等の３次元的処理、色反転等を含む色変換処理を行い、ラスタ画像である物理画素空間で位置（アドレス）の定まった個々の画素データＸを出力する。第１エレメントプロセッサ群ＥＰＧ１は、個々の画素データＸに量子化（誤差拡散）処理を施して誤差拡散され、階調を落とした画素データＹを出力する。
【００３３】
画素ドライバＧＤはこの画素データＹに対応した電流（電力）量で、表示要素ＧＥを駆動し、画素データＹの濃度に対応した画素表示を行う。各階層のエレメントプロセッサ（群）は、それぞれに割り当てられた画像処理を実施するために足りる構成を備える。例えば第３エレメントプロセッサＥＰ３は、第２エレメントプロセッサＥＰ２へのピクセルベースの画像データＶを供給可能であって圧縮された画像データＵを復号化するに足りるコ・プロセッサ、フレームメモリ、ＲＡＭ等のメモリ、時間軸を整合させるためのＦＩＦＯメモリ等を具備する。第２エレメントプロセッサＥＰ２は、座標変換処理を行うためのコ・プロセッサやＤＳＰ、フレームメモリ、ＲＡＭ等のメモリ、ＦＩＦＯメモリ等を具備する。
【００３４】
図６は、エレメントプロセッサの例として、第１エレメントプロセッサＥＰ１の構成例を示している。同図に示すように、この第１エレメントプロセッサＥＰ１は、非同期ＣＰＵ１００、ＲＯＭ１０１、ＲＡＭ１０２、ドライバインターフェース回路１０３、入力ポートＰＩ０、入力ポートＰＩ１〜ＰＩ４、出力ポートＰＯ１〜ＰＯ４が、相互に内部バス１０４で接続されて構成されている。入力ポートＰＩ０には上位の階層からの画素データが入来する。入力ポートＰＩ１〜ＰＩ４には同じ階層の隣接する第１エレメントプロセッサからの量子化誤差データが入来する。出力ポートＰＯ１〜ＰＯ４からは同じ階層の隣接する第１エレメントプロセッサへの量子化誤差データが出力される。ＲＯＭ１０１には、後述（図１２）の校正装置から出力され基礎構造体経由で最上位層に入力されるデータを元に生成される画素の校正用のデータを保存することができる。
【００３５】
上記構成の信号処理部には、画素素子毎のバラツキや経年変化に起因する目標色、目標輝度からの誤差等を記憶する不揮発性メモリー装置を含みことが望ましく、例えば、ＲＯＭ１０１にこれ等データを記憶する。また、ＲＯＭ１０１に記憶された誤差を相殺するように上記最下位層の画素素子の入力値をＣＰＵ１００で都度演算することが望ましい。それにより、画素素子の特性のバラツキを修正することが可能となり、高画質高精細度の大画面表示装置を提供することが可能となる。
【００３６】
このようにして、メインプロセッサから一画面分の画像データが電気光学表示装置１に供給されると、画面を構成する各表示タイルに各領域に当該画像データが割り当てられ、大画面が表示される。
【００３７】
図７は、表示タイルＴのバリエーションを示している。同図（Ａ）は基本となる正方形の表示タイルＴを示している。同図（Ｂ）は、基本表示タイルを図の上下方向に延在した２倍の面積の長方形の表示タイルの例を示している。同図（Ｃ）は、基本表示タイルを図の上下及び左右方向に延在した４倍の面積の正方形の表示タイルの例を示している。このような、基本表示タイルの整数倍の面積であれば、基礎構造体２０に取り付けることができる。
【００３８】
このような表示タイルを用いると大画面中に表示特性の異なる領域を設けることができる。例えば、大画面中の動きの少ない領域や目につきにくい領域には応答性や画質の相対的に低い表示タイルを使用して低コスト化しても観察者に与える全体画質の印象を悪くしないようにすることが可能である。また、設置場所の壁面の状態（スペース、湾曲等）に対応した形状・特性の表示タイルを使用することができる。
【００３９】
なお、表示タイルＴは、液晶素子、有機ＥＬ素子、電気泳動素子等のフィルム上に形成された画素素子アレイを用いて柔軟性のあるシート状構造体とすることができる。そして、基礎構造体２０をフィルム状のもので構成することによって壁面に湾曲があってもこの湾曲に沿った大画面の電気光学表示装置を構成することが可能である。この場合、表示タイルＴと基礎構造体２０とは接着剤で貼り合わせることができる。表示タイルＴと基礎構造体２０との電気的接続は異方性導電膜を介して行うことができる。
【００４０】
（第２実施例）
図８乃至図１１は、本発明の第２実施例を説明する説明図である。
第２実施例では、基礎構造体２０を使用せずに壁面に表示タイルを敷設する。このため、各表示タイル内に信号バスを内蔵し、各表示タイルの信号バス相互間を接続する構成としている。
【００４１】
図８に示すように、第２実施例では各表示タイルＴを行列状に配列し、表示タイルＴ相互間を接続して大画面の電気光学表示装置１を構成する。横長画面の一端部（短辺側）にはインタフェース部６１が設けられ、外部から供給される画像データ信号を表示タイルのアレイに伝送する。表示タイルアレイ内で各タイルの信号バスが連結されて一つの信号バスが形成されている。横長画面の他端部（短辺側）には終端装置７１が設けられて信号バスの終端での信号反射を防止する。各表示タイルＴは、例えば、その背面を接着剤で直接壁面に貼り付けることによって壁面に固定することが可能である。
【００４２】
なお、特に図示しないが、図４（Ａ）と同様に各表示タイルＴの正面に表示面１０が形成され、信号処理部が内蔵されている。そして、第１実施例では、背面に設けられた接続部５２が第２実施例では表示タイルＴの側面に設けられている。
【００４３】
図９は、第２実施例の表示タイルＴとインタフェース部６１を示している。同図に示すように、表示タイルＴの左側面には雌型接続部２６が、右側面には雄型接続部２５が設けられ、雌型接続部２６及び雄型接続部２５間に横方向の信号バス２４が形成されている。また、表示タイルＴの上側面には雌型接続部２６が下側面には雄型接続部２５が設けられ、雌型接続部２６及び雄型接続部２５間に縦方向の信号バス２４が形成される。
【００４４】
なお、後述する（図１３及び図１４）ように、表示タイルＴの内部にインタフェース部６１や終端装置７１を内蔵することができる。
【００４５】
表示タイルＴの雄接続部２５は隣接する表示タイルＴの雌接続部２６と嵌め合わせとなっており、表示タイルＴ相互が接続部で結合される。このようにして結合されてなる表示タイルアレイは左端部の各雌接続部２６にてインタフェース部６１の雄接続部２５に接続される。雌雄接続部２５、２６によって表示タイルアレイとインタフェース部６１が連結される。インタフェース部６１内では、信号バス２４によって各雄接続部２５相互間が接続される。外部からインタフェース部６１の接続部２５に画像データ信号が供給されると、各表示タイルＴに伝送される。
【００４６】
このように表示タイルを組み合わせることによって大画面の電気光学表示装置を構成することが可能となる。
【００４７】
（組立実装）
次に、壁面への敷設を例にして、表示タイルの組み立てを図１０のフローチャート及び図１１の説明図を参照して説明する。
【００４８】
まず、図１１（Ａ）に示すように、壁面上に基準点Ｐｓを設定する（ステップＳ１２）。図１１（Ｂ）に示すように、図示しないレーザー計測装置によってこの基準点Ｐｓを通過するレーザマーカー（レーザー光線）を壁面に照射し、縦の基準線を設定する。この基準線に沿ってインタフェース６１を壁面に取り付ける。
【００４９】
次に、取り付ける表示タイルの型（タイプ）を選定する。例えば、図７（Ａ）に示す基本形を選択する（ステップＳ１４）。図示しない表示タイルを多数搭載した収納カセットから表示タイルを取り出す（ステップＳ１６）。
【００５０】
図１１（Ｃ）に示すように、基準点Ｐｓを左上角とする領域に表示タイルの取付位置を示す縦マーカー及び横マーカー（レーザー光線）を照射し、この位置に表示タイルＴを移動して位置合せを行う（ステップＳ１８）。次に、表示タイルＴをインタフェース６１に接続し、壁面に接着剤や接着テープなどで固定する（ステップＳ２０）。
【００５１】
なお、必要があれば表示タイルの位置、色相、輝度等を調整する校正を行う。校正については、後述する（ステップＳ２２）。
【００５２】
以下、同様の手順（ステップＳ１２〜Ｓ２２）を繰り返して、図１１（Ｄ）乃至図１１（Ｈ）に示すように、位置決めをするマーカーに合わせて順次表示タイルの組み立てを左上隅から右下隅に向かって行って大画面を形成する。最後に非表示タイルアレイの右端の接続部に終端部７１を取り付け、各行の信号バス２４に終端抵抗を接続する。
【００５３】
図１２は、表示タイルＴ相互間の校正を説明する説明図である。各表示タイルＴは工場出荷時に基準状態となるように、あるいは設計状態となるように調整されており、通常、校正の必要は少ない。しかしながら、実際には表示タイル毎に画素素子の特性バラツキに偏差があると考えることが自然である。例えば、カラー表示器の場合は、定格色温度からの偏差、すなわち各３原色の色相と輝度のズレが原因となって表示タイル間の色ムラが発生することが考えられる。また、駆動回路の形成に例えば低温多結晶シリコン（ＬＴＰＳ）薄膜トランジスタ（ＴＦＴ）などを使う場合には、このズレは画素素子のみならず画素素子駆動回路の特性バラツキも原因となりうる。そこで、現地にて表示タイルを敷設する際に表示タイル毎に色相、輝度、取付位置などを微調整することが望ましい。表示タイルＴのパラメータの調整については、既述特開２００６−４７９０１号公報に記載の校正方法を使用することができる。
【００５４】
例えば、表示タイルＴ１とＴ２の境界にＣＣＤセンサなどによる画像センサ６２を配置し、校正装置６３からテストパターンをインタフェース部６１を介して表示タイルＴ１とＴ２に送り、両表示タイルに表示させる。画像センサ６２で表示タイルＴ１とＴ２に表示されたテストパターンを読み取り、校正装置でズレを判別し、表示タイルＴ２の位置を調整する。接着剤が固化する前であれば、微調整可能である。また、表示タイルＴ１とＴ２に同じ色信号及び輝度信号のテストパターンを送り、画像センサ６２で表示タイルＴ１とＴ２に表示されたテストパターンを読み取る。校正装置でズレを判別し、ズレがあれば表示タイルＴ２、あるいはＴ１を調整する。調整分の誤差信号は既述エレメントプロセッサのＲＯＭ１０２に保存される。それによって、各表示タイル間の表示のズレが防止される。表示タイルＴが基準内の誤差を越えるものであるときは、他の表示タイルＴに交換する。既に設置され一定期間使用された表示装置についても、環境変化（温度、明るさ、など）と表示タイルの表示特性の経年変化などを補正するために校正装置６３を用いて、表示タイルの張替えを行うことも可能である。
【００５５】
（第３実施例）
図１３及び図１４は第３の実施例を示している。両図において図９と対応する部分には同一符号を付し、係る部分の説明は省略する。
【００５６】
この実施例では、図１３に示すように、円柱状の柱等の構造体に電気光学装置１を設置している。電気光学装置１は、可撓性のシート状の表示タイルＴあるいは湾曲した表示体タイルＴを構造体の外壁を一周する円筒状に組み合わせることによって構成されている。この実施例では、境目なく表示面を形成して画像を表示するために、既述のインタフェース部６１及び終端装置７１は単体としては設けられず（図８参照）、同等の機能が所定の表示体タイルＴ内に内蔵されている。
【００５７】
図１４は、円筒状に組み立てられた複数の表示タイルＴのうちの所定の一列（縦方向）を説明するものであり、当該列（中央の列）の表示タイルＴには、既述の第２接続部５２（図４参照）と終端部５４が設けられている。接続部５２は、表示タイルＴの背面に設けられてメインプロセッサ（ホストコンピュータ）からの画像データ信号を信号バス２４に送る。信号バス２４は（右側に）隣接する表示タイルＴの信号バス２４と雌雄接続部２５、２６を介して電気的に接続される。このような接続を繰り返すことによって円筒状に組み立てられた表示タイルＴを略一周する信号バスが形成される。
【００５８】
終端部５４は終端抵抗群によって構成され、表示タイルＴの雌接続部２６に電気的に接続されている。雌接続部２６は（左側に）隣接する表示タイルＴの信号バス２４（略一周する信号バスに相当）に雄接続部２５を介して電気的に接続される。信号バスを一周して終端部５４に伝送された画像データ信号は終端部５４でエネルギー吸収され、信号反射が防止される。
【００５９】
このように、入力インタフェース６１及び終端装置７１の機能を表示タイルに内蔵することによって境目やいわゆる額縁のない表示面を持つ電気光学装置１を構成することができる。
なお、実施例では構造体の外壁に表示タイルＴを敷設しているが、中空構造体の（筒状の）内壁等にも適用できることは上記実施例より明らかである。また、構造体は建築物や柱等に限定されるものではなく、機械構造的なフレームとして製作された基礎構造体２０であってもよい。
【００６０】
また、表示タイルの内部構造は実施例のものに限定されるものではない。画像データ信号から当該領域の画像を形成するものであれば、表示タイルを組み合わせて大画面の電気光学装置を形成することが可能である。
【００６１】
また、本実施例においても表示タイルＴは、液晶素子、有機ＥＬ素子、電気泳動素子等のフィルム上に形成された画素素子アレイを用いて柔軟性のあるシート状構造体とすることができる。そして、このような表示タイルＴを使用することで、壁面に湾曲があってもこの湾曲に沿った大画面の電気光学表示装置を構成することが可能である。この場合、表示タイルＴと壁面とは接着剤で貼り合わせることができる。また、表示タイルＴ相互間は表示タイルＴの端部辺に一部はみ出すベロを形成し、当該部分にコネクタを形成し、隣接する表示タイルＴと重ね合わせて異方性導電膜を介して電気的接続を行うようにすることも可能である。
【００６２】
また、各実施例においても、図７に示すような複数種類の表示タイルを使用するようにしても良い。
【符号の説明】
【００６３】
１  電気光学表示装置、１０  表示面、２０  基礎構造体、２１  領域、２２  取付部、２３  接続部、２４  信号バス、２５  外部接続部、雄型接続部、２６  雌型接続部、４１  壁面、５０  歩道、５１  取付部、５２  接続部、６３  校正装置、６１  インタフェース部、６２  画像センサ、７１  終端装置、Ｔ  表示タイル
【図１】
2010281911.tif 000003
【図２】
2010281911.tif 000004
【図３】
2010281911.tif 000005
【図４】
2010281911.tif 000006
【図５】
2010281911.tif 000007
【図６】
2010281911.tif 000008
【図７】
2010281911.tif 000009
【図８】
2010281911.tif 000010
【図９】
2010281911.tif 000011
【図１０】
2010281911.tif 000012
【図１１】
2010281911.tif 000013
【図１２】
2010281911.tif 000014
【図１３】
2010281911.tif 000015
【図１４】
2010281911.tif 000016